(57)【要約】【課題】本発明は、可燃物として捨て去ることができ、且つ、生ゴミ等が放つ悪臭に対する防臭機能をも有する流し台用ゴミ容器を提供する。【解決手段】本発明の流し台用ゴミ容器は、流し台２０の排水口２１に着脱可能に取り付ける流し台用ゴミ容器１であって、円形の環状外周部５と、この環状外周部５で囲まれる中央部領域７に設けられ中心位置から環状外周部５側に向う放射状の割れ目６を形成することで各々個別に屈曲、復元可能とした扇状片８とからなり生ゴミ等の通過領域の閉塞、開口を可能とした皿状部２と、この皿状部４の環状外周部５に接合した円形の環状体３とからなり、排水口２１の上縁部に装着可能な生ゴミ等受け入れ用の上部体４と、この上部体４に上縁部１１ａを取り付けて吊り下げた水分が透過可能な網袋状で生ゴミ等を収容する生ゴミ等収容部１１とを可燃材により形成したものである。【選択図】図３
2006291577.tif 000002
【特許請求の範囲】
【請求項１】
流し台の排水口に着脱可能に取り付ける流し台用ゴミ容器であって、
前記排水口の上縁部に装着可能であるとともに生ゴミ等の通過領域である開口部分を有する生ゴミ等受け入れ用の上部体と、
この上部体から吊り下げられ水分が透過可能な生ゴミ等を収容する生ゴミ等収容部と、
を可燃材により形成し、収容した生ゴミ等と一緒にそのまま可燃物として使い捨てることができるようにしたことを特徴とする流し台用ゴミ容器。
【請求項２】
流し台の排水口に着脱可能に取り付ける流し台用ゴミ容器であって、
前記排水口の上縁部に装着可能であるとともに生ゴミ等の通過領域の閉塞、開口を可能とした生ゴミ等受け入れ用の上部体と、
この上部体から吊り下げた水分が透過可能な袋状で生ゴミ等を収容する生ゴミ等収容部と、
を可燃材により形成し、収容した生ゴミ等と一緒にそのまま可燃物として使い捨てることができるようにしたことを特徴とする流し台用ゴミ容器。
【請求項３】
流し台の排水口に着脱可能に取り付ける流し台用ゴミ容器であって、
円形の環状外周部と、この環状外周部で囲まれる中央部領域に設けた生ゴミ等の通過領域の閉塞、開口を可能とした皿状部とからなり、前記排水口の上縁部に装着可能な生ゴミ等受け入れ用の上部体と、
この上部体から吊り下げた水分が透過可能な袋状で生ゴミ等を収容する生ゴミ等収容部と、
を可燃材により形成し、収容した生ゴミ等と一緒にそのまま可燃物として使い捨てることができるようにしたことを特徴とする流し台用ゴミ容器。
【請求項４】
流し台の排水口に着脱可能に取り付ける流し台用ゴミ容器であって、
円形の環状外周部と、この環状外周部で囲まれる中央部領域に円形配置に設けた各々個別に屈曲、復元可能とした前記環状外周部と一体構成の複数の扇状片とを有し、生ゴミ等の通過領域の閉塞、開口を可能とした皿状部と、この皿状部の環状外周部に接合した円形の環状体とからなり、前記排水口の上縁部に装着可能な生ゴミ等受け入れ用の上部体と、
この上部体から吊り下げた水分が透過可能な袋状で生ゴミ等を収容する生ゴミ等収容部と、
を可燃材により形成し、収容した生ゴミ等と一緒にそのまま可燃物として使い捨てることができるようにしたことを特徴とする流し台用ゴミ容器。
【請求項５】
流し台の排水口に着脱可能に取り付ける流し台用ゴミ容器であって、
円形の環状外周部と、この環状外周部で囲まれる中央部領域に円形配置に設けられ中心位置から環状外周部側に向う放射状の複数の割れ目を形成することで各々個別に屈曲、復元可能とした前記環状外周部と一体構成の複数の扇状片とからなり生ゴミ等の通過領域の閉塞、開口を可能とした皿状部と、この皿状部の環状外周部に接合した円形の環状体とからなり、前記排水口の上縁部に装着可能な生ゴミ等受け入れ用の上部体と、
この上部体に上縁部を取り付けて吊り下げた水分が透過可能な網袋状で生ゴミ等を収容する生ゴミ等収容部と、
を可燃材により形成し、収容した生ゴミ等と一緒にそのまま可燃物として使い捨てることができるようにしたことを特徴とする流し台用ゴミ容器。
【請求項６】
流し台の排水口に着脱可能に取り付ける流し台用ゴミ容器であって、
円形の環状外周部と、この環状外周部で囲まれる中央部領域に円形配置に設けられ中心位置から環状外周部側に向う放射状の１２個の割れ目を形成することで各々個別に屈曲、復元可能とした前記環状外周部と一体構成の１２個の扇状片とからなり生ゴミ等の通過領域の閉塞、開口を可能とした皿状部と、この皿状部の環状外周部に接合した円形の環状体とからなり、前記排水口の上縁部に装着可能な生ゴミ等受け入れ用の上部体と、
この上部体に網袋材の上縁部を取り付けて吊り下げた水分が透過可能な網袋状であって、その下部を網袋材の二重構造とした生ゴミ等を収容する生ゴミ等収容部と、
を可燃材により形成し、収容した生ゴミ等と一緒にそのまま可燃物として使い捨てることができるようにしたことを特徴とする流し台用ゴミ容器。
【発明の詳細な説明】
【技術分野】
【０００１】
本発明は、流し台用ゴミ容器に関し、詳しくは、収容した生ゴミ等と一緒にそのまま可燃物として使い捨てることができるようにした流し台用ゴミ容器に関するものである。
【背景技術】
【０００２】
家庭等の台所に設置された流し台には、水道水等を排水するための排水口が設けられ、この排水口には生ゴミ等が外部排水設備に流出しないように流し台用ゴミ容器が着脱可能に取り付けられるのが通常である。
【０００３】
従来のこの種の流し台用ゴミ容器としては、合成樹脂製等又は金属製で水分流出用の多数の小孔を開けた籠状の構造のものが一般的である。しかし、このような従来の流し台用ゴミ容器では、合成樹脂製等又は金属製であり、清掃後再利用するものが殆どであるとともに、仮に廃棄する場合でもこれを可燃物として捨て去ることはできない。
【０００４】
また、従来の流し台用ゴミ容器では、ゴミ容器自体の開口部に格別の防臭対策が施されていないため、生ゴミ等が放つ悪臭が流し台から台所空間内に漏れ出し、居住者に不快感を与えてしまう。
【０００５】
特許文献１には、合成樹脂製の上部鍔と、この上部鍔に上部開口周辺部を圧接した合成樹脂製の収集ネットとを有する流し台排水口用ゴミ収集ネットが提案されている。
【０００６】
しかし、この特許文献１の流し台排水口用ゴミ収集ネットの場合には、上部鍔及び収集ネットがいずれも合成樹脂製であるため、使い捨てる場合でもこれを可燃物として捨て去ることはできない。また、ゴミ収集ネットの開口部に格別の防臭対策が施されていないため、上述した場合と同様生ゴミ等が放つ悪臭が流し台から台所空間内に漏れ出し、居住者に不快感を与えてしまう。
【０００７】
特許文献２には、起倒式の把手を備え、無数の水分流出用の小孔を開けた籠状で合成樹脂製の本体を有するポイ捨て用ゴミ収容器が提案されている。
【０００８】
しかし、この特許文献２のポイ捨て用ゴミ収容器の場合には、本体が合成樹脂製等であるため、使い捨てる場合でもこれを可燃物として捨て去ることはできない。また、本体の開口部に格別の防臭対策が施されていないため、上述した場合と同様生ゴミ等が放つ悪臭が流し台から台所空間内に漏れ出し、居住者に不快感を与えてしまう。
【特許文献１】登録実用新案第３０３１４０１号公報
【特許文献２】登録実用新案第３１０５５７７号公報
【発明の開示】
【発明が解決しようとする課題】
【０００９】
解決しようとする問題点は、使い捨てる場合に無公害でこれを可燃物として捨て去ることができ、且つ、生ゴミ等が放つ悪臭に対する防臭機能をも発揮する流し台用ゴミ容器が存在しない点である。
【課題を解決するための手段】
【００１０】
本発明の流し台用ゴミ容器は、流し台の排水口に着脱可能に取り付ける流し台用ゴミ容器であって、前記排水口の上縁部に装着可能であるとともに、生ゴミ等の通過領域の閉塞、開口を可能とした生ゴミ等受け入れ用の上部体と、この上部体から吊り下げた水分が透過可能な生ゴミ等を収容する生ゴミ等収容部とを可燃材により形成し、この流し台用ゴミ容器自体が生ゴミ等の廃棄と一緒に何らの公害を惹起することなく完全な使い捨てで、従来の場合と比較して、ゴミ容器自体を洗うという必要もないので洗う手間が省けるとともに非常に衛生的にしたことを最も主要な特徴とする。
【発明の効果】
【００１１】
本発明によれば、以下の効果を奏する。
請求項１記載の発明によれば、流し台の排水口の上縁部に着脱可能な上部体と、この上部体から吊り下げた水分が透過可能な袋状の生ゴミ等収容部とを可燃材により形成したものであるから、使い捨てる場合にこれを可燃物として生ゴミ等と一緒に捨て去ることができる流し台用ゴミ容器を提供することができる。
請求項２、３記載の発明によれば、流し台の排水口の上縁部に着脱可能な上部体と、この上部体から吊り下げた水分が透過可能な袋状の生ゴミ等収容部とを可燃材により形成したものであるから、使い捨てる場合にこれを可燃物として捨て去ることができ、また、上部体における生ゴミ等の通過領域の閉塞、開口を可能としているので、生ゴミ等収容部に収容した生ゴミ等が放つ悪臭に対する防臭機能をも発揮する流し台用ゴミ容器を提供することができる。
【００１２】
請求項４記載の発明によれば、環状外周部及び複数の扇状片からなる皿状部を有し、排水口の上縁部に装着可能な生ゴミ等受け入れ用の上部体と、この上部体から吊り下げた水分が透過可能な袋状で生ゴミ等を収容する生ゴミ等収容部とを可燃材により形成したものであるから、使い捨てる場合にこれを可燃物として捨て去ることができる。また、上部体における中央部領域に設けた複数の扇状片を各々個別に屈曲、復元可能としているので、生ゴミ等収容部に収容した生ゴミ等が放つ悪臭に対する防臭機能を、中央部領域における複数の扇状片の閉塞により発揮させることができる流し台用ゴミ容器を提供することができる。
【００１３】
請求項５記載の発明によれば、環状外周部及び複数の扇状片からなる皿状部を有し、排水口の上縁部に装着可能な生ゴミ等受け入れ用の上部体と、この上部体から吊り下げた水分が透過可能な網袋状で生ゴミ等を収容する生ゴミ等収容部とを可燃材により形成したものであるから、使い捨てる場合にこれを可燃物として捨て去ることができる。また、上部体における中央部領域に設けた複数の扇状片を複数の割れ目で分離し各々個別に屈曲、復元可能としているので、生ゴミ等収容部に収容した生ゴミ等が放つ悪臭に対する防臭機能を、中央部領域における複数の扇状片の閉塞により発揮させることができる流し台用ゴミ容器を提供することができる。
【００１４】
請求項６記載の発明によれば、環状外周部及び複数の扇状片からなる皿状部を有し、排水口の上縁部に装着可能な生ゴミ等受け入れ用の上部体と、この上部体から吊り下げた水分が透過可能な網袋状で生ゴミ等を収容する生ゴミ等収容部とを可燃材により形成したものであるから、使い捨てる場合にこれを可燃物として捨て去ることができる。また、上部体における中央部領域に設けた１２個の扇状片を１２個の割れ目で分離し各々個別に屈曲、復元可能としているので、生ゴミ等収容部に収容した生ゴミ等が放つ悪臭に対する防臭機能を、中央部領域における１２個の扇状片の閉塞により発揮させることができる流し台用ゴミ容器を提供することができる。
【発明を実施するための最良の形態】
【００１５】
本発明は、使い捨てる場合に、これを無公害な可燃物として捨て去ることができ、且つ、衛生的で、生ゴミ等が放つ悪臭に対する防臭機能をも有する流し台用ゴミ容器を提供するという目的を、流し台の排水口に着脱可能に取り付ける流し台用ゴミ容器であって、円形の環状外周部と、この環状外周部で囲まれる中央部領域に円形配置に設けられ中心位置から環状外周部側に向う放射状の複数の割れ目を形成することで各々個別に屈曲、復元可能とした前記環状外周部と一体構成の複数の扇状片とからなり生ゴミ等の通過領域の閉塞、開口を可能とした皿状部と、この皿状部の環状外周部に接合した円形の環状体とからなり、前記排水口の上縁部に装着可能な生ゴミ等受け入れ用の上部体と、この上部体に上縁部を取り付けて吊り下げた水分が透過可能な袋状で生ゴミ等を収容する生ゴミ等収容部とを可燃材により形成したことにより実現した。
【実施例】
【００１６】
以下に、本発明の実施例に係る流し台用ゴミ容器について図面を参照して詳細に説明する。
図１乃至図３に示す本実施例に係る流し台用ゴミ容器１は、例えば一般家庭の台所、レストラン等の厨房に配置される流し台２０の排水口２１に着脱可能に取り付けるものである。
【００１７】
前記流し台用ゴミ容器１は、例えば厚さ２ｍｍ程度の円形の皿状部２及び厚さ１０乃至１３ｍｍ程度、直径１４５ｍｍ程度の円形の環状体３からなる生ゴミ等受け入れ用の上部体４と、生ゴミ３０等に含まれる水分が透過可能な多数の小孔（図１、図２においてクロス斜線を付して示す）を有する例えば紙材或いは木綿、麻等の天然繊維等を素材とする例えば網袋状の網袋材９を用いて深さ１４０ｍｍ程度の袋状（本実施例では網袋状として示す）に形成され、生ゴミ３０等を収容する生ゴミ等収容部１１とを有している。なお、本発明においては、水分が透過可能で、ある程度の耐水性があれば、生ゴミ等収容部１１を例図する網袋状の網袋材９以外の形態でもって形成しても良い。
【００１８】
前記皿状部２、環状体３からなる上部体４は、例えば紙材に防水加工を施した素材を用いて形成することで、通常の紙、木材等のような可燃物と同様な取り扱い可能としている。なお、前記生ゴミ等収容部１１としては、無公害を図るように形成した例えば紙材或いは繊維材等からなる例えば網袋状の網袋材９を用いて形成することできる。
【００１９】
前記上部体４を構成する皿状部２は、図２に示すように、円形の環状外周部５と、この環状外周部５で囲まれる中央部領域７に円形配置に設けられ、中心位置から環状外周部５側に向う放射状の複数（本実施例では１２個）の割れ目６を形成することで環状外周部５側を除いて分離構成とされ、各々個別に屈曲、復元可能とした前記環状外周部５と一体構成の複数（本実施例では１２片）の扇状片８とを具備している。
【００２０】
前記扇状片８の数、割れ目６の数は、図２に示す場合の他、各々８個、１０個、１６個等、任意に変形して実施できる。
【００２１】
従って、皿状部２の各扇状片８は、図４に示すように、生ゴミ３０等の通過に伴って屈曲し生ゴミ３０等の通過領域、すなわち、中央部領域７を開口状態とし、また、生ゴミ３０等の通過後においては図２に示すような各扇状片８が真っすぐに伸びて中央部領域７を閉塞する状態に復元する可撓性を有する構成としている。生ゴミ３０等を受け入れる前においても中央部領域７を閉塞する状態となっていることはもちろんである。
【００２２】
前記上部体４を構成する環状体３は、図２、図３に示すように、前記皿状部２における環状外周部５の下面側に可燃性の接着剤等で接合することでこの皿状部２と一体化している。
【００２３】
前記生ゴミ等収容部１１は、環状体３の環状外周部５に対する接合時に、網袋部分の上縁部１１ａの全周を、前記皿状部２における環状外周部５の下面と環状体３の上面との間に挟み込むことで、上部体４に対して吊り下げ状態となるように取り付けている。
【００２４】
また、網袋状の生ゴミ等収容部１１の下部は、図３に示すように、例えば、網袋材９の二重構造とし、生ゴミ３０等に対する耐重量強化を図っている。なお、図１、図３において接合部１０（×印で示す）は例えば二重構造の網袋材９同士を接着又は縫合した領域を表している。但し、本発明においては、生ゴミ等収容部１１の下部を例示するように必ずしも二重構造とする必要はなく、要は、水分が透過可能で、ある程度の耐水性がある生ゴミ等収容部１１の構造であれば良い。
また、本発明は、図示する構成例の他、基本的には、前記生ゴミ３０等の受け入れ用の上部体４を、排水口２１の上縁部１１ａに装着可能としつつ生ゴミ３０等の通過領域である開口部分を有するように構成し、且つ、水分が透過可能な生ゴミ３０等を収容する生ゴミ等収容部１１を、当該上部体４から吊り下げるように構成し、このように構成した上部体４と生ゴミ等収容部１１を可燃材により形成して実施するようにしても良い。
更に、本発明は、図示する構成例の他、前記生ゴミ３０等の受け入れ用の上部体４を、排水口２１の上縁部１１ａに装着可能としつつ円形の環状外周部５と、この環状外周部５で囲まれる中央部領域に設けた生ゴミ等の通過領域の閉塞、開口を可能（例えば、屈曲、復元可能な材料で皿状部２を形成しこの皿状部２に１又は複数の適当な切り込みを設ける等）とした皿状部２とから構成し、且つ、水分が透過可能な袋状の生ゴミ３０等を収容する生ゴミ等収容部１１を、当該上部体４から吊り下げるように構成し、このように構成した上部体４と生ゴミ等収容部１１を可燃材により形成して実施するようにしても良い。
【００２５】
次に、本実施例に係る流し台用ゴミ容器１の具体的使用例について図４、図５を参照して説明する。
【００２６】
この流し台用ゴミ容器１を、流し台２０の排水口２１に装着し、この状態で生ゴミ３０等を流し台用ゴミ容器１内に収容する際には、図４に示すように、生ゴミ３０等の通過に伴って皿状部２の当該生ゴミ３０等の通過部分に存在する扇状片８が屈曲し、これにより、生ゴミ３０等は扇状片８の屈曲に伴って生じる開口部分から網袋状の生ゴミ等収容部１１内に落下する。従って、生ゴミ３０等に含まれる水分のみが網袋材９の小孔から更に流下し、外部の排水設備へと放水されていく。
【００２７】
前記屈曲した扇状片８は、生ゴミ３０等の通過後元の位置に復元し、これにより、全ての扇状片８により中央部領域７を閉塞する状態になる。
【００２８】
この結果、生ゴミ等収容部１１内に生ゴミ３０等を収容しながらこの生ゴミ３０等が放つ悪臭が流し台用ゴミ容器１から台所内空間に漏れ出ることを全ての扇状片８による中央部領域７の閉塞により確実に防止できる。
【００２９】
このような生ゴミ３０等の収容を、例えば朝から夜までの一日間（２４時間）随時行った後、図５に示すように、生ゴミ等収容部１１内に生ゴミ３０等を収容した流し台用ゴミ容器１を、流し台２０の排水口２１から取り出し、通常の紙類等と同様な可燃物として廃棄する（使い捨てる）。これにより、従来の如く合成樹脂製等々の流し台用ゴミ容器１を廃棄する場合と比べ、無公害化を実現できる。
すなわち、本発明の流し台用ゴミ容器１は、当該流し台用ゴミ容器１自体が生ゴミ３０等の廃棄と一緒に何らの公害を惹起することなく完全な使い捨てであり、従来の場合と比較して、ゴミ容器自体を洗うという必要もないので洗う手間が省けるとともに非常に衛生的である。
【産業上の利用可能性】
【００３０】
本発明は、一般家庭の流し台に適用する場合の他、例えば各種飲食店、ホテル、船舶等の厨房に設置される流し台用として幅広く適用可能である。
【図面の簡単な説明】
【００３１】
【図１】本発明の実施例に係る流し台用ゴミ容器の流し台への装着状態を示す概略正面図である。
【図２】本発明の実施例に係る流し台用ゴミ容器の平面図である。
【図３】本発明の実施例に係る流し台用ゴミ容器の流し台への装着状態を示す概略断面図である。
【図４】本発明の実施例に係る流し台用ゴミ容器の生ゴミ等収容状態を示す概略断面図である。
【図５】本発明の実施例に係る流し台用ゴミ容器の流し台からの取り出し状態を示す概略正面図である。
【符号の説明】
【００３２】
１    流し台用ゴミ容器
２    皿状部
３    環状体
４    上部体
５    環状外周部
６    割れ目
７    中央部領域
８    扇状片
９    網袋材
１０    接合部
１１    生ゴミ等収容部
１１ａ  上縁部
２０    流し台
２１    排水口
３０    生ゴミ等
【図１】
2006291577.tif 000003
【図２】
2006291577.tif 000004
【図３】
2006291577.tif 000005
【図４】
2006291577.tif 000006
【図５】
2006291577.tif 000007
【手続補正書】
【提出日】平成17年4月12日(2005.4.12)
【手続補正１】
【補正対象書類名】図面
【補正対象項目名】図５
【補正方法】変更
【補正の内容】
【図５】
2006291577.tif 000008